(57)【特許請求の範囲】
【請求項１】
表示部と、
タッチパネルと、
上記タッチパネルを介してユーザが選択可能な複数の表示子を行列状に並べて上記表示部に表示させ、当該表示部に表示させた上記複数の表示子のうちの一表示子が上記タッチパネルに対する指示物の接触により選択されると、当該一表示子が選択された旨をユーザが認識できるように、当該一表示子の大きさと、当該一表示子と同じ行の表示子の大きさと、当該一表示子と同じ列の表示子の大きさとを、上記指示物の接触前より大きく表示させ、それ以外の表示子の大きさを変更しないように制御する表示制御部と
を有し、
上記表示制御部は、
上記一表示子が上記タッチパネルに対する上記指示物の接触により選択された後、当該指示物が上記タッチパネルに接触したまま他の一表示子の表示位置に移動すると、選択する表示子が当該他の一表示子に変更されたと認識して、当該他の一表示子が選択された旨をユーザが認識できるように、当該他の一表示子の大きさと、当該他の一表示子と同じ行の表示子の大きさと、当該他の一表示子と同じ列の表示子の大きさとを、上記指示物の接触前より大きく表示させ、それ以外の表示子の大きさを上記指示物の接触前の大きさとなるように制御する
表示装置。
【請求項２】
上記表示制御部は、
選択された一表示子については、行方向の長さと列方向の長さとの両方を長くすることで大きく表示させ、また、選択された一表示子と同じ行の表示子については、列方向の長さのみを長くすることで大きく表示させ、さらに、選択された一表示子と同じ列の表示子については、行方向の長さのみを長くすることで大きく表示させる
請求項１に記載の表示装置。
【請求項３】
上記一表示子が上記タッチパネルに対する上記指示物の接触により選択された後、当該一表示子を選択している指示物が上記タッチパネルから離されると、当該一表示子が上記ユーザにより選択された表示子であると決定する制御部をさらに有する
請求項１に記載の表示装置。
【請求項４】
タッチパネルを介してユーザが選択可能な複数の表示子を行列状に並べて表示部に表示させ、当該表示部に表示させた上記複数の表示子のうちの一表示子が上記タッチパネルに対する指示物の接触により選択されると、当該一表示子が選択された旨をユーザが認識できるように、当該一表示子の大きさと、当該一表示子と同じ行の表示子の大きさと、当該一表示子と同じ列の表示子の大きさとを、当該一表示子と同じ行の表示子の大きさと、当該一表示子と同じ列の表示子の大きさとを、上記指示物の接触前より大きく表示させ、それ以外の表示子の大きさを変更しないように制御する表示制御部
を有し、
上記表示制御部は、
上記一表示子が上記タッチパネルに対する上記指示物の接触により選択された後、当該指示物が上記タッチパネルに接触したまま他の一表示子の表示位置に移動すると、選択する表示子が当該他の一表示子に変更されたと認識して、当該他の一表示子が選択された旨をユーザが認識できるように、当該他の一表示子の大きさと、当該他の一表示子と同じ行の表示子の大きさと、当該他の一表示子と同じ列の表示子の大きさとを、上記指示物の接触前より大きく表示させ、それ以外の表示子の大きさを上記指示物の接触前の大きさとなるように制御する
電子機器。
【請求項５】
タッチパネルに対する指示物の接触により選択可能な複数の表示子を行列状に並べて表示部に表示させる表示子表示ステップと、
上記表示部に表示させた上記複数の表示子のうちの一表示子が上記タッチパネルに対する指示物の接触により選択されると、当該一表示子が選択された旨をユーザが認識できるように、当該一表示子の大きさと、当該一表示子と同じ行の表示子の大きさと、当該一表示子と同じ列の表示子の大きさとを、上記指示物の接触前より大きく表示させ、それ以外の表示子の大きさを変更しないように制御する第１の表示制御ステップと、
上記第１の表示制御ステップで上記一表示子が上記タッチパネルに対する上記指示物の接触により選択された後、当該指示物が上記タッチパネルに接触したまま他の一表示子の表示位置に移動すると、選択する表示子が当該他の一表示子に変更されたと認識して、当該他の一表示子が選択された旨をユーザが認識できるように、当該他の一表示子の大きさと、当該他の一表示子と同じ行の表示子の大きさと、当該他の一表示子と同じ列の表示子の大きさとを、上記指示物の接触前より大きく表示させ、それ以外の表示子の大きさを上記指示物の接触前の大きさとなるように制御する第２の表示制御ステップと
を有する表示方法。
【発明の詳細な説明】
【技術分野】
【０００１】
本発明は表示装置、電子機器及び表示方法に関し、例えばタッチパネルを有する表示装置に適用して好適なものである。
【背景技術】
【０００２】
近年、タッチパネルを有し、ユーザが表示画面に触るようにして操作入力可能な表示装置が広く普及している。このような表示装置としては、電車の自動券売機のように、比較的大きな表示部（例えば数十ｃｍ）を有し、表示部に表示されたボタンやアイコンなどの表示子を指先で押下するようにして選択することで、選択された表示子に応じた処理を実行するものや、ＰＤＡ（Personal Digital Assistant）のように、比較的小さな表示部（例えば数ｃｍ）を有し、表示部に表示された表示子を付属のタッチペンのペン先で押下するようにして選択することで、選択された表示子に応じた処理を実行するものなどが提案されている（例えば、特許文献１参照）。
【先行技術文献】
【特許文献】
【０００３】
【特許文献１】特開２００１−０３４４０２公報（第７図）
【発明の概要】
【発明が解決しようとする課題】
【０００４】
ところで、表示部に表示された表示子を指先で選択するような場合、表示子の表示面積が人間の指先の腹の面積よりも小さいと、表示子を選択しようとする際に、この表示子が指先で隠れて見えなくなり、どの表示子を選択しているのかがわかりにくくなる問題があった。
【０００５】
このため、表示部が比較的小さく、表示部に表示し得る表示子の表示面積が、人間の指先の腹の面積よりも小さくなるような表示装置では、人間の指先よりも細く形成されたタッチペンでの入力が必須であった。
【０００６】
しかしながら、このようなタッチペンを利用する場合、当然のことながら、表示装置とは別にタッチペンが必要であり、またこのタッチペンを紛失すると、操作入力できなくなるなどの問題があった。
【０００７】
つまり、表示部に表示する表示子の表示面積に依らず、タッチパネルを介した操作入力を容易にすることができれば、このようなタッチパネルを有する表示装置の操作性を格段と向上させることができるものと考えられる。
【０００８】
本発明は以上の点を考慮してなされたもので、タッチパネルでの操作性を一段と向上し得る表示装置、電子機器及び表示方法を提案しようとするものである。
【課題を解決するための手段】
【０００９】
かかる課題を解決するため本発明の表示装置においては、表示部と、タッチパネルと、タッチパネルを介してユーザが選択可能な複数の表示子を行列状に並べて表示部に表示させ、当該表示部に表示させた複数の表示子のうちの一表示子がタッチパネルに対する指示物の接触により選択されると、当該一表示子が選択された旨をユーザが認識できるように、当該一表示子の大きさと、当該一表示子と同じ行の表示子の大きさと、当該一表示子と同じ列の表示子の大きさとを、指示物の接触前より大きく表示させ、それ以外の表示子の大きさを変更しないように制御する表示制御部とを有し、表示制御部は、一表示子がタッチパネルに対する指示物の接触により選択された後、当該指示物がタッチパネルに接触したまま他の一表示子の表示位置に移動すると、選択する表示子が当該他の一表示子に変更されたと認識して、当該他の一表示子が選択された旨をユーザが認識できるように、当該他の一表示子の大きさと、当該他の一表示子と同じ行の表示子の大きさと、当該他の一表示子と同じ列の表示子の大きさとを、指示物の接触前より大きく表示させ、それ以外の表示子の大きさを指示物の接触前の大きさとなるように制御するようにした。
【００１０】
このように、選択された一表示子の大きさと、当該一表示子と同じ行の表示子の大きさと、当該一表示子と同じ列の表示子の大きさとを、指示物の接触前より大きく表示させることにより、どの表示子を指示物で選択したのかをユーザに認識させることができる。
【発明の効果】
【００１１】
本発明によれば、選択された一表示子の大きさと、当該一表示子と同じ行の表示子の大きさと、当該一表示子と同じ列の表示子の大きさとを、指示物の接触前より大きく表示させることにより、どの表示子を指示物で選択したのかをユーザに認識させることができ、かくしてタッチパネルでの操作性を一段と向上し得る表示装置、電子機器及び表示方法を実現することができる。
【図面の簡単な説明】
【００１２】
【図１】画像閲覧装置の全体構成を示す略線図である。
【図２】画像閲覧装置の回路構成を示すブロック図である。
【図３】第１の実施の形態における画像閲覧操作（１）を示す略線図である。
【図４】第１の実施の形態における画像閲覧操作（２）を示す略線図である。
【図５】第１の実施の形態における指先押下処理手順を示すフローチャートである。
【図６】移動距離の判定を示す略線図である。
【図７】第１の実施の形態における指先移動処理手順を示すフローチャートである。
【図８】第１の実施の形態における指先離開処理手順を示すフローチャートである。
【図９】第２の実施の形態における画像閲覧装置（１）を示す略線図である。
【図１０】第２の実施の形態における画像閲覧操作（２）を示す略線図である。
【図１１】第２の実施の形態における画像閲覧操作（３）を示す略線図である。
【図１２】第２の実施の形態における画像閲覧操作（４）を示す略線図である。
【図１３】第２の実施の形態における指先押下処理手順を示すフローチャートである。
【図１４】第２の実施の形態における指先移動処理手順を示すフローチャートである。
【図１５】第２の実施の形態における指先離開処理手順を示すフローチャートである。
【図１６】タイマー処理手順を示すフローチャートである。
【図１７】他の実施の形態における画像閲覧操作（１）を示す略線図である。
【図１８】他の実施の形態における画像閲覧操作（２）を示す略線図である。
【図１９】他の実施の形態における画像閲覧操作（３）を示す略線図である。
【図２０】他の実施の形態における画像閲覧操作（４）を示す略線図である。
【発明を実施するための形態】
【００１３】
以下図面について、本発明の一実施の形態を詳述する。
【００１４】
（１）第１の実施の形態
（１−１）画像閲覧装置の外観構成
図１において、１は全体として画像閲覧装置を示し、この画像閲覧装置１は、片手で把持し得る程度の大きさ（いわゆる手の平サイズ）でなる扁平矩形状の筐体２を有する。
【００１５】
この筐体２の表面には、長方形板状のタッチパネル付ＬＣＤ（Liquid Crystal Display）３が設けられている。このタッチパネル付ＬＣＤ３は、図１（Ｂ）及び（Ｃ）に示すように、液晶パネル３Ａの表示面上に透明なタッチパネル３Ｂを張り付けるようにして形成され、このタッチパネル３Ｂに対して指先が押下されると、その押下された位置をもとに、表示パネル３Ａに表示する表示画面上の任意位置がユーザにより指定されたことを認識するようになされている。ちなみに、ここでは、タッチパネル３Ｂに、指先による押下操作（押して離す操作）に適した静電容量方式を用いている。
【００１６】
またこの筐体２の表面には、タッチパネル付ＬＣＤ３にくわえて、画像閲覧装置１の電源をオン／オフするための電源スイッチ４と、後述するコピースイッチ５とが設けられている。さらに筐体２の側面には、画像閲覧装置１のシステムを再起動するためのリセットスイッチ６と、外部機器を接続するための外部接続端子７とが設けられている。
【００１７】
そして、この画像閲覧装置１は、例えば図示しないデジタルスチルカメラを所定ケーブルを介して外部接続端子７に接続した状態で、コピースイッチ５が押下されると、デジタルスチルカメラに記録されている画像データを読み出して、自身に内蔵されたハードディスクドライブ８にコピーするようになされている。
【００１８】
また画像閲覧装置１は、このようにしてハードディスクドライブ８にコピーした画像データを、タッチパネル付ＬＣＤ３に対する押下操作に応じて検索し、このタッチパネル付ＬＣＤ３に表示するようになされている。
【００１９】
このように、この画像閲覧装置１は、携帯型であり、外部機器から読み出した画像データを記録するハードディスクドライブ８と、このハードディスクドライブ８に記録した画像データを表示するタッチパネル付ＬＣＤ３とを有することにより、例えばデジタルスチルカメラで撮像した画像データを、パーソナルコンピュータのディスプレイに表示したり、プリンタで印刷することなく、その場で閲覧することができるようになされている。
【００２０】
（１−２）画像閲覧装置の回路構成
つづいて、画像閲覧装置１の内部に設けられた各回路部を、図２を用いて説明する。画像閲覧装置１は、制御部１０が、ＲＯＭ（Read Only Memory）１１に記憶されているプログラムをＲＡＭ（Random Access Memory）１２に読み出す。そして制御部１０は、読み出したプログラムをＲＡＭ１２上で展開し、この展開したプログラムに従って、自身に接続されたＬＣＤコントローラ１３、タッチパネルコントローラ１４、外部接続コントローラ１５、ハードディスクコントローラ１６を制御すると共に、各種処理を実行するようになされている。
【００２１】
ＬＣＤコントローラ１３は、制御部１０からの指示に従って、液晶パネル３Ａを制御することにより、液晶パネル３Ａに対して画面表示などを行う。タッチパネルコントローラ１４は、タッチパネル３Ｂ上の押下された位置に対応する座標を認識し、この座標の情報を制御部１０へ伝える。外部接続コントローラ１５は、制御部１０からの指示に従って、外部接続端子７に接続された外部機器を制御すると共に、外部機器とデータの送受信を行う。ハードディスクコントローラ１６は、制御部１０からの指示に従って、ハードディスクドライブ８を制御することにより、ハードディスクドライブ８に対するデータの読み書きを行う。
【００２２】
また制御部１０にはパラレルＩ／Ｏ１７を介して電源スイッチ４、コピースイッチ５、及びリセットスイッチ６が接続され、パラレルＩ／Ｏ１７は、これら電源スイッチ４、コピースイッチ５、及びリセットスイッチ６からの信号を入力して制御部１０に伝える。
【００２３】
（１−３）画像閲覧操作
次に、この画像閲覧装置１での画像閲覧操作について、詳しく説明する。ここで、この画像閲覧装置１には、例えば外部のデジタルスチルカメラで撮像された画像データが、ハードディスクドライブ８に記録され、また、この画像データのそれぞれに、デジタルスチルカメラで撮像された日付（すなわちデータ作成日時）を示す日付情報が付加されている。
【００２４】
まず、画像閲覧装置１は、図３（Ａ）に示すように、四角形の区画Ｋが６行×７列の合計４２個並べられ、これら４２個の区画Ｋに１ヶ月の各日を示す数字が記されたカレンダー画面２０を、タッチパネル付ＬＣＤ３に表示する。
【００２５】
ここで、１ヶ月は最大３１日であるため、このカレンダー画面２０では、４２個の区画Ｋのうちの最大３１個の区画Ｋに数字が記される。また、このカレンダー画面２０の列のそれぞれは、月曜日〜日曜日に対応する。これにより、このカレンダー画面２０には、１ヶ月の総日数と、１日の曜日に応じて、４２個の区画Ｋのうちの対応する区画Ｋに各日を示す数字が記される。またここでは、これら４２個の区画Ｋのそれぞれを行と列の番号（以下、これを区画番号とも呼ぶ）により識別することにする。すなわち、１行１列目の区画Ｋを区画Ｋ１１、１行２列目の区画Ｋを区画Ｋ１２、…、２行１列目の区画Ｋを区画Ｋ２１、…、３行１列目の区画Ｋを区画Ｋ３１、…とする。
【００２６】
ちなみに、この図３に示したカレンダー画面２０は、一例として、２００５年３月に対応する画面であり、区画Ｋ１２に１日を示す「１」、区画Ｋ１３に２日を示す「２」、…、区画Ｋ１７に６日を示す「６」、区画Ｋ２１に７日を示す「７」、…、区画Ｋ３１に１４日を示す「１４」、区画Ｋ４１に２１日を示す「２１」、区画Ｋ５１に２８日を示す「２８」、区画Ｋ５４に３１日を示す「３１」の数字が記されている。
【００２７】
そして画像閲覧装置１は、このカレンダー画面２０に配され、各日を示す数字が記された区画Ｋ（この場合、区画Ｋ１２〜Ｋ５４）のうちの１つが、タッチパネル３Ｂを介してユーザの指先により選択されると、この選択された区画Ｋに対応する日付情報が付加された画像データをハードディスクドライブ８から検索するようになされている。
【００２８】
ところで、実際上、画像閲覧装置１は、ユーザが片手で把持し得る程度の大きさであり、タッチパネル付ＬＣＤ３の表示面積も限られているため、このタッチパネル付ＬＣＤ３に４２個もの区画Ｋを表示すると、区画Ｋ１つ１つの表示面積が、ユーザの指先の腹の面積よりも小さくなり、結果として、図３（Ｂ）に示すように、ユーザが区画Ｋを指先で選択しようとする際に、この区画Ｋがユーザの指先で隠れて見えにくくなる。
【００２９】
このため、この画像閲覧装置１では、ユーザの指先の腹の面積よりも小さな表示面積の区画Ｋでも、ユーザが容易に選択し得るようになされている。すなわち、ユーザは、例えば、区画Ｋ１２を選択しようとして、この区画Ｋ１２の表示領域内（すなわち区画Ｋ１２の内側）を、タッチパネル３Ｂを介して指先で押下する。
【００３０】
この結果、画像閲覧装置１は、タッチパネルコントローラ１４を介して、区画Ｋ１２の表示領域内にユーザの指先が押下されていると認識し、このとき、図３（Ｃ）に示すように、区画Ｋ１２の同心上に重ねるようにして、この区画Ｋ１２を拡大した拡大区画ＺＫ１２を、タッチパネル付ＬＣＤ３に表示する。ここで、この拡大区画ＺＫ１２の表示面積は、ユーザの指先の腹の面積よりも大きくなるように設定されている。
【００３１】
このように、画像閲覧装置１は、ユーザの指先が例えば区画Ｋ１２の表示領域内に押下されたことを認識すると、区画Ｋ１２が選択されている旨を示す拡大区画ＺＫ１２をユーザの指先からはみ出る程度の大きさで区画Ｋ１２の同心上に重ねて表示することにより、拡大区画ＺＫ１２の表示位置と拡大区画ＺＫ１２に記された数字「１」の一部とをもとに、ユーザに対して、区画Ｋ１２（１日）が選択されている旨を推測させ得るようになされている。
【００３２】
このようにして拡大区画ＺＫ１２を表示した後、図３（Ｄ）に示すように、ユーザの指先がタッチパネル３Ｂから離されると、画像閲覧装置１は、タッチパネルコントローラ１４を介して、区画Ｋ１２の表示領域内からユーザの指先が離されたと認識すると共に、この区画Ｋ１２がユーザにより選択された区画であると決定する。
【００３３】
そして画像閲覧装置１は、この区画Ｋ１２に対応する日付情報（すなわち２００５年３月１日）が付加された画像データをハードディスクドライブ８から検索し、図３（Ｅ）に示すように、この検索の結果得られた画像データをサムネイル表示する画像閲覧画面２１を、タッチパネル付ＬＣＤ３に表示する。
【００３４】
このように、画像閲覧装置１は、カレンダー画面２０に配された所望区画Ｋの表示領域内を押して離すという押下操作（以下、これを基本操作とも呼ぶ）だけで、区画Ｋの選択から決定までを行うことができるので、ユーザに対して一段と簡易な画像閲覧操作を提供することができる。
【００３５】
一方、例えば、ユーザが区画Ｋ２２（８日）を選択しようとして、この区画Ｋ２２の表示領域内を押下しようとしたものの、図４（Ａ）に示すように、誤って、区画Ｋ２２の１行上の区画Ｋ１２（１日）の表示領域内を押下して区画Ｋ１２を選択してしまった場合、ユーザは、区画Ｋの選択を変更する操作（以下、これを変更操作とも呼ぶ）を行う。
【００３６】
すなわち、ユーザは、拡大区画ＺＫ１２が表示されたことにより、誤って区画Ｋ１２を選択してしまったことを推測すると、指先を押下したまま、指先を区画Ｋ１２の表示領域内から区画Ｋ２２の表示領域内へ移動させる。
【００３７】
この結果、画像閲覧装置１は、タッチパネルコントローラ１４を介して、区画Ｋ１２の表示領域内から区画Ｋ２２の表示領域内にユーザの指先が移動したことを認識し、このとき、図４（Ｂ）に示すように、拡大区画ＺＫ１２を非表示にすると共に、区画Ｋ２２の同心上に重ねるようにして、この区画Ｋ２２を拡大した拡大区画ＺＫ２２を、タッチパネル付ＬＣＤ３に表示する。これにより、画像閲覧装置１は、選択している区画Ｋが区画Ｋ１２から区画Ｋ２２に移った旨、すなわち選択している区画Ｋが、区画Ｋ１２から区画Ｋ２２に変更された旨をユーザに対して容易に推測させることができる。
【００３８】
このようにして拡大区画ＺＫ２２を表示した後、図４（Ｃ）に示すように、ユーザの指先がタッチパネル３Ｂから離されると、画像閲覧装置１は、タッチパネルコントローラ１４を介して、区画Ｋ２２の表示領域内からユーザの指先が離されたと認識すると共に、この区画Ｋ２２がユーザにより選択された区画Ｋであると決定する。
【００３９】
そして画像閲覧装置１は、この区画Ｋ２２に対応する日付情報（すなわち２００５年３月８日）が付加された画像データをハードディスクドライブ８から検索し、図４（Ｄ）に示すように、この検索の結果得られた画像データをサムネイル表示する画像閲覧画面２１を、タッチパネル付ＬＣＤ３に表示する。
【００４０】
このように、画像閲覧装置１は、カレンダー画面２０に配された所望区画Ｋの表示領域内を押下したまま移動するという変更操作だけで、区画Ｋの選択を変更することができるので、ユーザに対して一段と簡易な画像閲覧操作を提供することができる。
【００４１】
（１−４）画像閲覧操作での動作処理手順
次に、上述した画像閲覧装置１による画像閲覧操作での動作処理手順を、指先が押下されたときのイベント処理手順（以下、これを指先押下処理手順とも呼ぶ）、指先が押下されたまま移動したときのイベント処理手順（以下、これを指先移動処理手順とも呼ぶ）、及び指先が離されたときのイベント処理手順（以下、これを指先離開処理手順とも呼ぶ）のそれぞれに分けて詳しく説明する。ちなみに、これらの動作処理手順は、画像閲覧装置１の制御部１０が、ＲＯＭ１１にインストールされたプログラムに従って実行するものである。また、ここでは一例として、図３（Ａ）に示すように、２００５年３月に対応するカレンダー画面２０がタッチパネル付ＬＣＤ３に表示された状態からの動作処理手順を説明する。
【００４２】
まず、指先押下処理手順ＲＴ１について、図５に示したフローチャートを用いて説明する。ちなみに、以下の説明では、タッチパネル３Ｂに指先が押下されたときの位置（以下、これを初期押下位置とも呼ぶ）に存在する区画Ｋの中央位置を格納する変数をＦｉｒｓｔＰｏｓ、初期押下位置に存在する区画Ｋの区画番号を格納する変数をＬａｓｔＩｎｄｅｘ、タッチパネル３Ｂに指先が押下されたまま移動したときの区画単位の移動距離を格納する変数をＤｉｆｆＩｎｄｅｘ、指先が押下されたまま移動した後の位置（以下、これを現在押下位置とも呼ぶ）に存在する区画の区画番号を格納する変数をＣｕｒｒｅｎｔＩｎｄｅｘ、タッチパネル３Ｂから指先が離れたときの位置（以下、これを指先離開位置とも呼ぶ）に存在する区画の区画番号を格納する変数をＬａｓｔＦｏｃｕｓＩｎｄｅｘとする。
【００４３】
図５に示すように、画像閲覧装置１の制御部１０は、タッチパネルコントローラ１４を介して、タッチパネル３Ｂにユーザの指先が押下されたことを認識すると、指先押下処理手順ＲＴ１をステップＳＰ０から開始して、次のステップＳＰ１に移る。
【００４４】
ステップＳＰ１において制御部１０は、初期押下位置に、日を示す数字の記された区画Ｋ（以下、これを有効区画Ｋとも呼ぶ）が存在するか否かを判定する。このステップＳＰ１において否定結果が得られると、このことは、有効区画Ｋ（２００５年３月の場合、区画Ｋ１１〜Ｋ５４）以外の表示部分にユーザの指先が押下されたことを意味しており、このとき制御部１０は、ユーザが有効区画Ｋを選択しようとしているわけではないと判断して、終了ステップＳＰ５に移り、この指先押下処理手順ＲＴ１を終了する。
【００４５】
これに対して、このステップＳＰ１で肯定結果が得られると、このことは、ユーザが有効区画Ｋを選択しようとしていることを意味しており、このとき制御部１０は、ステップＳＰ２に移る。
【００４６】
ステップＳＰ２において制御部１０は、初期押下位置に存在する区画Ｋの区画番号をＬａｓｔＩｎｄｅｘに格納して、次のステップＳＰ３に移る。ステップＳＰ３において制御部１０は、ＬａｓｔＩｎｄｅｘに格納した区画番号で示される区画Ｋの中央位置をＦｉｒｓｔＰｏｓに格納する。
【００４７】
実際上、ユーザは、自分の指先よりも小さな表示領域の区画Ｋを押下したとき、自分が区画Ｋの中央位置を押下したと認識していることが多い。このため制御部１０は、このようなユーザの認識に合わせて、例えば、図６（Ａ）に示すように、実際の押下位置である初期押下位置ＳＰをＦｉｒｓｔＰｏｓに格納するのではなく、初期押下位置ＳＰに存在する区画Ｋの中央位置ＣＰをＦｉｒｓｔＰｏｓに格納するようになされている。このことは、後述する指先移動処理手順で、さらに詳しく説明する。
【００４８】
このようにして、ＬａｓｔＩｎｄｅｘに格納した区画番号で示される区画Ｋの中央位置をＦｉｒｓｔＰｏｓに格納した後、制御部１０は、次のステップＳＰ４（図５）に移る。ステップＳＰ４において制御部１０は、ＬａｓｔＩｎｄｅｘに格納した区画番号で示される区画Ｋを拡大した拡大区画ＺＫを表示した後、終了ステップＳＰ５に移り、この指先押下処理手順ＲＴ１を終了する。ここで、拡大区画ＺＫの枠の色（例えば赤色）を区画Ｋの枠の色（例えば黒色）と変えることで、拡大区画ＺＫを強調表示するようにしてもよい。
【００４９】
このような指先押下処理手順ＲＴ１により、制御部１０は、ユーザの指先が押下された位置に存在する区画Ｋを認識して、この区画Ｋを拡大した拡大区画ＺＫを表示するようになされている。
【００５０】
つづいて、指先移動処理手順ＲＴ２について、図７に示したフローチャートを用いて説明する。画像閲覧装置１の制御部１０は、タッチパネルコントローラ１４を介して、タッチパネル３Ｂに押下されているユーザの指先が移動したことを認識すると、指先移動処理手順ＲＴ２をステップＳＰ１０から開始して、次のステップＳＰ１１に移る。
【００５１】
ステップＳＰ１１において制御部１０は、ＦｉｒｓｔＰｏｓに格納された中央位置から現在押下位置までの差を区画Ｋ単位で演算し、この演算結果である区画Ｋ単位の移動距離をＤｉｆｆＩｎｄｅｘに格納する。ここで、制御部１０は、図６（Ｂ）に示すように、絶対位置（すなわち画面上の座標など）である初期押下位置ＳＰを基準として移動後の絶対位置である現在押下位置ＰＰ１を認識するのではなく、初期押下位置ＳＰからの相対位置である中央位置ＣＰを基準として移動後の相対位置である現在押下位置ＰＰ２を認識し、この中央位置ＣＰと現在押下位置ＰＰ２との差を区画Ｋ単位で求めるようになされている。これにより、制御部１０は、例えば、ユーザの指先によって実際上区画Ｋの端が押下された場合でも、この区画Ｋの中央を押下したというユーザの認識に合わせた操作感覚を提供することができる。
【００５２】
このようにして、区画Ｋ単位の移動距離をＤｉｆｆＩｎｄｅｘに格納した後、制御部１０は、次のステップＳＰ１２（図7）に移る。ステップＳＰ１２において制御部１０は、移動前の区画番号を示すＬａｓｔＩｎｄｅｘとＤｉｆｆＩｎｄｅｘとを加算した結果得られる移動後の区画番号をＣｕｒｒｅｎｔＩｎｄｅｘに格納して、次のステップＳＰ１３に移る。
【００５３】
ステップＳＰ１３において制御部１０は、ＣｕｒｒｅｎｔＩｎｄｅｘに格納された区画番号に対応する有効区画Ｋが存在するか否かを判定する。ここで否定結果が得られると、このことは、例えば、移動後の区画番号に対応する区画Ｋが有効区画Ｋではないこと、すなわちユーザの指先が、有効区画Ｋ以外の区画Ｋ（すなわち数字が記されていない区画Ｋであり、例えば区画Ｋ６５）に移動されたことを意味しており、このとき制御部１０は、ユーザが区画Ｋの選択を取り止めたと認識して、ステップＳＰ１４に移る。
【００５４】
ステップＳＰ１４において制御部１０は、図３（Ａ）に示すように、拡大区画ＺＫを非表示にして全ての区画Ｋを元の大きさで表示した後、終了ステップＳＰ１６に移り、指先移動処理手順ＲＴ２を終了する。
【００５５】
これに対して、ステップＳＰ１３で肯定結果が得られると、このことは、ユーザの指先が、最初に選択した有効区画Ｋ（例えば区画Ｋ１２）から別の有効区画Ｋ（例えば区画Ｋ２２）に移動されたことを意味しており、このとき制御部１０は、ユーザが区画Ｋの選択を変更したと認識して、ステップＳＰ１５に移る。
【００５６】
ステップＳＰ１５において制御部１０は、移動前の区画Ｋを拡大した拡大区画ＺＫを非表示にして、その代りにＣｕｒｒｅｎｔＩｎｄｅｘに格納された区画番号で示される移動後の区画Ｋを拡大した拡大区画ＺＫを表示した後、終了ステップＳＰ１６に移り、この指先移動処理手順ＲＴ２を終了する。
【００５７】
このような指先移動処理手順ＲＴ２により、制御部１０は、ユーザの指先の移動に応じて、移動前の区画Ｋに対応する拡大区画ＺＫを非表示にして、代りに移動後の区画Ｋに対応する拡大区画ＺＫを表示するようになされている。
【００５８】
つづいて、指先離開処理手順ＲＴ３について、図８に示したフローチャートを用いて説明する。画像閲覧装置１の制御部１０は、タッチパネルコントローラ１４を介して、タッチパネル３Ｂを押下していたユーザの指先がタッチパネル３Ｂから離されたことを認識すると、指先離開処理手順ＲＴ３をステップＳＰ２０から開始して、次のステップＳＰ２１に移る。
【００５９】
ステップＳＰ２１において制御部１０は、指先離開位置に存在する区画Ｋの区画番号をＬａｓｔＦｏｃｕｓＩｎｄｅｘに格納して、次のステップＳＰ２２に移る。ステップＳＰ２２において制御部１０は、ＬａｓｔＦｏｃｕｓＩｎｄｅｘに格納した区画番号に対応する有効区画Ｋが存在するか否かを判定する。ここで否定結果を得ると、このことは、例えば、指先を離す直前まで押下していた位置に有効区画Ｋが存在していないこと、すなわちユーザの指先が、有効区画Ｋ以外の区画Ｋ（すなわち数字が記されていない区画Ｋであり、例えば区画Ｋ６５）を押下していたことを意味しており、このとき制御部１０は、ユーザが区画Ｋを選択していないと認識して、終了ステップＳＰ２４に移り、指先離開処理手順ＲＴ３を終了する。
【００６０】
これに対して、ステップＳＰ２２で肯定結果が得られると、このことは、ユーザの指先が、有効区画Ｋを押下していたことを意味しており、このとき制御部１０は、ＬａｓｔＦｏｃｕｓＩｎｄｅｘに格納した区画番号に対応する例えば区画Ｋ２２がユーザにより選択された区画Ｋであると決定して、ステップＳＰ２３に移る。
【００６１】
ステップＳＰ２３において制御部１０は、この区画Ｋ２２に対応する日付情報（すなわち２００５年３月８日）が付加された画像データをハードディスクドライブ８から検索し、図３（Ｅ）に示すように、この検索の結果得られた画像データをサムネイル表示する画像閲覧画面２１をタッチパネル付ＬＣＤ３に表示して、終了ステップＳＰ２４に移り、指先離開処理手順ＲＴ３を終了する。
【００６２】
このような指先離開処理手順ＲＴ３により、制御部１０は、ユーザの指先が離された位置に存在する区画Ｋを、ユーザにより選択された区画Ｋであると決定して、この区画Ｋに対応する日付情報を有する画像データを表示するようになされている。
【００６３】
（１−５）第１の実施の形態による動作及び効果
以上の構成において画像閲覧装置１は、まず、４２個の区画Ｋが行列状に配され、このうちの最大３１個の区画Ｋに１ヶ月の各日を示す数字が記されたカレンダー画面２０を液晶パネル３Ａに表示する。
【００６４】
そして画像閲覧装置１は、数字が記された区画（すなわち有効区画）Ｋのうちの１つである例えば１日を示す区画Ｋ１２の表示領域内に、タッチパネル３Ｂを介してユーザの指先が押下されると、この区画Ｋ１２がユーザにより選択されていると認識して、この区画Ｋ１２を拡大した拡大区画Ｋ１２を、区画Ｋ１２上に重ねて表示する。
【００６５】
これにより画像閲覧装置１は、例えば、区画Ｋ１２の表示面積がユーザの指先よりも小さく押下したときに隠れる程度の大きさであっても、指先からはみ出る程度にまで拡大した拡大区画Ｋ１２を表示することで、現在どの区画Ｋを選択しているのかをユーザに容易に推測させることができる。
【００６６】
その後、区画Ｋ１２の表示領域内を押下していたユーザの指先が、タッチパネル３Ｂから離されると、画像閲覧装置１は、離れる直前まで押下されていたこの区画Ｋ１２を、ユーザにより選択された区画Ｋであると決定する。そして、画像閲覧装置１は、この区画Ｋ１２に対応する日付情報が付加された画像データをハードディスクドライブ８から読み出して、液晶パネル３Ａに画像閲覧画面２１として表示する。
【００６７】
このように画像閲覧装置１は、カレンダー画面２０に配された所望区画Ｋの表示領域内を押して離すという１回の押下操作だけで、区画Ｋ（日付）の選択から決定、区画Ｋに対応する画像データの表示までを行うことができるので、ユーザに対して一段と簡易な画像閲覧操作を提供することができる。
【００６８】
一方、例えば、区画Ｋ１２の表示領域内を押下しているユーザの指先がタッチパネル３Ｂから離されずに、他の区画Ｋである例えば区画Ｋ２２の表示領域内に移動した場合、画像閲覧装置１は、選択している区画Ｋが区画Ｋ１２から区画Ｋ２２に変更されたと認識して、拡大区画ＺＫ１２を非表示にすると共に、区画Ｋ２２を拡大した拡大区画ＺＫ２２を、区画Ｋ２２上に重ねて表示する。
【００６９】
このように画像閲覧装置１は、指先を押下したまま移動するという操作だけで、選択する区画Ｋを変更することができるので、ユーザに対して一段と簡易な画像閲覧操作を提供することができる。また、この場合も、指先の移動に応じて拡大区画ＺＫを表示することにより、現在どの区画Ｋを選択しているのかをユーザに容易に推測させることができる。
【００７０】
以上の構成によれば、液晶パネル３Ａに表示した複数の区画Ｋのうちのどの区画Ｋがタッチパネル３Ｂを介して選択されたのかを示す拡大区画ＺＫをこの液晶パネル３Ａに表示することにより、どの区画Ｋを指先で選択したのかをユーザに容易に推測させることができ、さらにタッチパネル３Ｂに対して、指先を押下することで区画Ｋを選択し、指先を離すことで区画Ｋを決定するようにしたことにより、タッチパネル３Ｂに対する１回の押下操作で区画Ｋの選択から決定までの操作を行うことができる。この結果、液晶パネル３Ａに表示する区画Ｋの表示面積に依らず、タッチパネル３Ｂを介した指先での操作入力を一段と容易にすることができ、かくしてタッチパネル３Ｂでの操作性を一段と向上させることができる。
【００７１】
（２）第２の実施の形態
次に、本発明の第２の実施の形態を詳述する。この第２の実施の形態においては、画像閲覧装置１の画像閲覧操作が異なる点以外、上述した第１の実施の形態と同様であり、同様部分である画像閲覧装置１の構成などの説明は省略する。
【００７２】
（２−１）画像閲覧操作
この第２の実施の形態による画像閲覧装置１では、第１の実施の形態で述べたような１回の押下操作ではなく、複数回の押下操作により、区画Ｋの選択から決定、区画Ｋに対応する画像データの表示を行うようになされている。以下、このような複数回の押下操作による画像閲覧操作について詳しく説明する。
【００７３】
まず、画像閲覧装置１は、図９（Ａ）に示すように、四角形で枠が黒色の区画Ｋが６行×７列の合計４２個並べられ、これら４２個の区画Ｋのうちの最大３１個の区画Ｋに１ヶ月の各日を示す数字が記されたカレンダー画面２０を、タッチパネル付ＬＣＤ３に表示する。
【００７４】
ちなみに、この図９に示したカレンダー画面２０は、一例として、２００５年３月に対応する画面であり、区画Ｋ１２に１日を示す「１」、区画Ｋ１３に２日を示す「２」、…、区画Ｋ１７に６日を示す「６」、区画Ｋ２１に７日を示す「７」、…、区画Ｋ３１に１４日を示す「１４」、区画Ｋ４１に２１日を示す「２１」、区画Ｋ５１に２８日を示す「２８」、区画Ｋ５４に３１日を示す「３１」の数字が記されている。すなわちこれら区画Ｋ１２〜Ｋ５４のそれぞれが有効区画Ｋとなる。
【００７５】
そして画像閲覧装置１は、図９（Ｂ）に示すように、ユーザが有効区画Ｋのうちの例えば区画Ｋ１２（１日）を選択しようとして、この区画Ｋ１２の表示領域内にタッチパネル３Ｂを介して指先が押下されたことを、タッチパネルコントローラ１４を介して認識すると、このとき、図９（Ｃ）に示すように、区画Ｋ１２の同心上に重ねるようにして、この区画Ｋ１２を拡大して枠の色を赤にした拡大区画ＺＫ１２を、タッチパネル付ＬＣＤ３に表示する。ここで、この拡大区画ＺＫ１２の表示面積は、第１の実施の形態と同様、ユーザの指先の腹の面積よりも大きくなるように設定されている。
【００７６】
このようにして赤枠の拡大区画ＺＫ１２を表示した後、画像閲覧装置１は、図９（Ｄ）に示すように、ユーザの指先がタッチパネル３Ｂから離されたことを、タッチパネルコントローラ１４を介して認識すると、拡大区画ＺＫ１２の枠の色を赤から黄に変えて表示し続ける。このように、画像閲覧装置１は、ユーザの指先がタッチパネル３Ｂから離された後も、拡大区画ＺＫ１２を表示し続けることにより、指先を離したユーザに対して、現在、区画Ｋ１２（すなわち１日）が選択されている旨を確実に認識させ得るようになされている。
【００７７】
その後、画像閲覧装置１は、図９（Ｅ）に示すように、表示中の黄枠の拡大区画ＺＫ１２の表示領域内にタッチパネル３Ｂを介してユーザの指先が押下され、そして、図９（Ｆ）に示すように、この指先がタッチパネル３Ｂから離されたことを、タッチパネルコントローラ１４を介して認識すると、この黄枠の拡大区画ＺＫ１２に対応する区画Ｋ１２（１日）がユーザにより選択された区画Ｋであると決定する。このように、画像閲覧装置１は、区画Ｋ１２を拡大した拡大区画ＺＫ１２の表示領域内を押下することで区画Ｋ１２を決定することができるので、このときユーザが他の区画Ｋの表示領域内を押下してしまうような誤操作を防止することができる。
【００７８】
そして画像閲覧装置１は、この区画Ｋ１２に対応する日付情報（すなわち２００５年３月１日）が付加された画像データをハードディスクドライブ８から検索し、図９（Ｇ）に示すように、この検索の結果得られた画像データをサムネイル表示する画像閲覧画面２１を、タッチパネル付ＬＣＤ３に表示する。
【００７９】
以上のように、画像閲覧装置１は、まず区画Ｋに対する押下操作で、拡大区画ＺＫを表示することにより、どの区画Ｋを選択したのかをユーザに確実に認識させた後、さらにこの拡大区画ＺＫに対する押下操作で、選択した区画Ｋを決定するようにした。これにより、画像閲覧装置１は、ユーザに対して、一段と確実に区画Ｋの選択及び決定を行わせることができる。ちなみに、この第２の実施の形態では、このような区画Ｋに対する押下操作を区画Ｋの選択操作と呼び、拡大区画ＺＫに対する押下操作を区画Ｋの決定操作と呼ぶ。
【００８０】
一方、例えば、ユーザが区画Ｋ３２（１５日）を選択しようとして、この区画Ｋ３２の表示領域内を押下しようとしたものの、図１０（Ａ）に示すように、誤って、区画Ｋ３２の２行上の区画Ｋ１２（１日）の表示領域内を押下して区画Ｋ１２を選択してしまった場合、ユーザは、区画Ｋの選択を変更する変更操作を行う。
【００８１】
すなわち、ユーザは、押下した指先をタッチパネル３Ｂから離したとき、図１０（Ｂ）に示すように、拡大区画ＺＫ１２が表示されたことにより、誤って区画Ｋ１２を選択してしまったことを認識すると、再度、区画Ｋ３２を選択しようとして、図１０（Ｃ）に示すように、区画Ｋ３２の表示領域内を押下する。
【００８２】
この結果、画像閲覧装置１は、タッチパネルコントローラ１４を介して、区画Ｋ３２の表示領域内にユーザの指先が押下されたことを認識し、このとき、黄枠の拡大区画ＺＫ１２を非表示にすると共に、区画Ｋ３２の同心上に重ねるようにして、この区画Ｋ３２を拡大した赤枠の拡大区画ＺＫ３２を、タッチパネル付ＬＣＤ３に表示する。
【００８３】
この後、画像閲覧装置１は、図１０（Ｄ）に示すように、ユーザの指先がタッチパネル３Ｂから離されたことを、タッチパネルコントローラ１４を介して認識すると、拡大区画ＺＫ３２の枠の色を赤から黄に変えて表示し続ける。このように画像閲覧装置１は、表示する拡大区画ＺＫを拡大区画ＺＫ１２から拡大区画ＺＫ３２に変えることにより、選択している区画Ｋが、区画Ｋ１２から区画Ｋ３２に変更された旨をユーザに対して確実に認識させ得るようになされている。
【００８４】
その後、画像閲覧装置１は、図１０（Ｅ）に示すように、表示中の拡大区画ＺＫ３２の表示領域内にタッチパネル３Ｂを介してユーザの指先が押下され、そして、図１０（Ｆ）に示すように、この指先がタッチパネル３Ｂから離されたことを、タッチパネルコントローラ１４を介して認識すると、この拡大区画ＺＫ３２に対応する区画Ｋ３２（１５日）がユーザにより選択された区画Ｋであると決定する。
【００８５】
そして画像閲覧装置１は、この区画Ｋ３２に対応する日付情報（すなわち２００５年３月１５日）が付加された画像データをハードディスクドライブ８から検索し、図１０（Ｇ）に示すように、この検索の結果得られた画像データをサムネイル表示する画像閲覧画面２１を、タッチパネル付ＬＣＤ３に表示する。
【００８６】
このように、画像閲覧装置１は、区画Ｋに対する複数の押下操作により、容易に区画Ｋの選択を変更することができるようになされている。
【００８７】
ところで、例えば、ユーザが区画Ｋ２２（８日）を選択しようとして、この区画Ｋ２２の表示領域内を押下しようとしたものの、図１１（Ａ）に示すように、誤って、区画Ｋ２２の１行上の区画Ｋ１２（１日）の表示領域内を押下して区画Ｋ１２を選択してしまった場合、図１１（Ｂ）に示すように、区画Ｋ２２の表示領域が、区画Ｋ１２の同心上に重ねて表示された拡大区画ＺＫ１２で隠れてしまい、区画Ｋ２２の表示領域を押下できなくなる。
【００８８】
そこで、画像閲覧装置１は、黄枠の拡大区画ＺＫ１２を表示した後、ユーザがタッチパネル３Ｂに触れずに所定時間経過したことを認識すると、図１１（Ｃ）に示すように、黄枠の拡大区画ＺＫ１２を非表示にして、区画Ｋ１２の選択を一旦解除するようになされている。これにより、ユーザは拡大区画ＺＫ１２で隠れていた区画Ｋ２２の表示領域内を再び押下することができるようになる。
【００８９】
そして画像閲覧装置１は、この区画Ｋ２２の表示領域内にタッチパネル３Ｂを介してユーザの指先が押下されたことを、タッチパネルコントローラ１４を介して認識すると、このとき、図１１（Ｄ）に示すように、区画Ｋ１２の同心上に重ねるようにして、この区画Ｋ２２を拡大した赤枠の拡大区画ＺＫ２２を、タッチパネル付ＬＣＤ３に表示する。
【００９０】
このようにして赤枠の拡大区画ＺＫ２２を表示した後、画像閲覧装置１は、図１１（Ｅ）に示すように、ユーザの指先がタッチパネル３Ｂから離されたことを、タッチパネルコントローラ１４を介して認識すると、拡大区画ＺＫ２２の枠の色を赤から黄に変えて表示し続ける。この後、画像閲覧装置１は、図１１（Ｆ）、（Ｇ）に示すように、区画Ｋ２２の決定操作が行われたことを認識すると、この決定操作により決定した区画Ｋ２２に対応する日付情報（すなわち２００５年３月８日）が付加された画像データをハードディスクドライブ８から検索し、図１１（Ｈ）に示すように、この検索の結果得られた画像データをサムネイル表示する画像閲覧画面２１を、タッチパネル付ＬＣＤ３に表示する。
【００９１】
このように、画像閲覧装置１は、表示した拡大区画ＺＫを所定時間経過後に非表示にすることにより、この拡大区画ＺＫに隠れた区画Ｋの表示領域内でも、ユーザが所定時間待つことで再び押下し得るようになされている。
【００９２】
さらにこの画像閲覧装置１は、第１の実施の形態で述べたような、指先を押下したまま移動させることで区画Ｋの選択を変更する変更操作にも対応している。
【００９３】
すなわち、例えば、ユーザが区画Ｋ２２（８日）を選択しようとして、この区画Ｋ２２の表示領域内を押下しようとしたものの、図１２（Ａ）に示すように、誤って、区画Ｋ２２の１行上の区画Ｋ１２（１日）の表示領域内を押下して区画Ｋ１２を選択してしまった場合、ユーザは、赤枠の拡大区画ＺＫ１２が表示されたことにより、この赤枠の拡大区画ＺＫ１２の表示位置とこの拡大区画ＺＫ１２に記された数字「１」の一部から、誤って区画Ｋ１２を選択してしまったことを推測して、指先を押下したまま区画Ｋ１２の表示領域内から区画Ｋ２２の表示領域内へ移動させる。
【００９４】
この結果、画像閲覧装置１は、タッチパネルコントローラ１４を介して、区画Ｋ１２の表示領域内から区画Ｋ２２の表示領域内にユーザの指先が移動したことを認識し、このとき、図１２（Ｂ）に示すように、赤枠の拡大区画ＺＫ１２を非表示にすると共に、区画Ｋ２２の同心上に重ねるようにして、この区画Ｋ２２を拡大した赤枠の拡大区画ＺＫ２２を、タッチパネル付ＬＣＤ３に表示する。これにより、画像閲覧装置１は、選択している区画Ｋが区画Ｋ１２から区画Ｋ２２に移った旨、すなわち選択している区画Ｋが、区画Ｋ１２から区画Ｋ２２に変更された旨をユーザに対して容易に推測させることができる。
【００９５】
このようにして赤枠の拡大区画ＺＫ２２を表示した後、画像閲覧装置１は、図１２（Ｃ）に示すように、ユーザの指先がタッチパネル３Ｂから離されたことを、タッチパネルコントローラ１４を介して認識すると、拡大区画ＺＫ２２の枠の色を赤から黄に変えて表示し続ける。この後、画像閲覧装置１は、図１２（Ｄ）、（Ｅ）に示すように、区画Ｋ２２の決定操作が行われたことを認識すると、この決定操作により決定した区画Ｋ２２に対応する日付情報（すなわち２００５年３月８日）が付加された画像データをハードディスクドライブ８から検索し、図１２（Ｆ）に示すように、この検索の結果得られた画像データをサムネイル表示する画像閲覧画面２１を、タッチパネル付ＬＣＤ３に表示する。
【００９６】
このように画像閲覧装置１は、カレンダー画面２０に配された所望区画Ｋの表示領域内を押下したまま移動するという変更操作でも、区画Ｋの選択を変更することができるようになされている。
【００９７】
（２−２）画像閲覧操作での動作処理手順
次に、上述した画像閲覧装置１による画像閲覧操作での動作処理手順を、指先が押下されたときの指先押下処理手順、指先が押下されたまま移動したときの指先移動処理手順、及び指先が離されたときの指先離開処理手順のそれぞれに分けて詳しく説明する。ちなみに、これらの動作処理手順は、画像閲覧装置１の制御部１０が、ＲＯＭ１１にインストールされたプログラムに従って実行するものである。また、ここでは一例として、図９（Ａ）に示すように、２００５年３月に対応するカレンダー画面２０がタッチパネル付ＬＣＤ３に表示された状態からの動作処理手順を説明する。
【００９８】
まず、指先押下処理手順ＲＴ１０について、図１３に示したフローチャートを用いて説明する。ちなみに、以下の説明では、タッチパネル３Ｂに指先が押下されたときの初期押下位置に存在する区画Ｋの中央位置を格納する変数をＦｉｒｓｔＰｏｓ、初期押下位置に存在する区画Ｋの区画番号を格納する変数をＬａｓｔＩｎｄｅｘ、タッチパネル３Ｂに指先が押下されたまま移動したときの区画単位の移動距離を格納する変数をＤｉｆｆＩｎｄｅｘ、指先が押下されたまま移動した後の現在押下位置に存在する区画の区画番号を格納する変数をＣｕｒｒｅｎｔＩｎｄｅｘ、タッチパネル３Ｂから指先が離れたときの離開位置に存在する区画の区画番号を格納する変数をＬａｓｔＦｏｃｕｓＩｎｄｅｘとする。
【００９９】
図１３に示すように、画像閲覧装置１の制御部１０は、タッチパネルコントローラ１４を介して、タッチパネル３Ｂにユーザの指先が押下されたことを認識すると、指先押下処理手順ＲＴ１０をステップＳＰ３０から開始して、次のステップＳＰ３１に移る。
【０１００】
ステップＳＰ３１において制御部１０は、初期押下位置に、日を示す数字の記された有効区画Ｋ（この場合、黄枠の拡大区画ＺＫも含む）が存在するか否かを判定する。このステップＳＰ３１において否定結果が得られると、このことは、有効区画Ｋ（２００５年３月の場合、Ｋ１１〜Ｋ５４）以外の表示部分にユーザの指先が押下されたことを意味しており、このとき制御部１０は、ユーザが有効区画Ｋを選択しようとしているわけではないと判断して、終了ステップＳＰ３５に移り、この指先押下処理手順ＲＴ１０を終了する。
【０１０１】
これに対して、このステップＳＰ３１で肯定結果が得られると、このことは、ユーザが有効区画Ｋを選択しようとしていることを意味しており、このとき制御部１０は、ステップＳＰ３２に移る。
【０１０２】
ステップＳＰ３２において制御部１０は、初期押下位置に存在する区画Ｋ、あるいは黄枠の拡大区画ＺＫの区画番号をＬａｓｔＩｎｄｅｘに格納して、次のステップＳＰ３３に移る。ステップＳＰ３３において制御部１０は、ＬａｓｔＩｎｄｅｘに格納した区画番号で示される区画Ｋの中央位置をＦｉｒｓｔＰｏｓに格納する。
【０１０３】
このようにして、ＬａｓｔＩｎｄｅｘに格納した区画番号で示される区画Ｋの中央位置をＦｉｒｓｔＰｏｓに格納した後、制御部１０は、次のステップＳＰ３４に移る。ステップＳＰ３４において制御部１０は、ＬａｓｔＩｎｄｅｘに格納した区画番号で示される区画Ｋを拡大した赤枠の拡大区画ＺＫを表示した後、終了ステップＳＰ３５に移り、この指先押下処理手順ＲＴ１０を終了する。
【０１０４】
このような指先押下処理手順ＲＴ１０により、制御部１０は、ユーザの指先が押下された初期押下位置に存在する区画Ｋ、あるいは黄枠の拡大区画ＺＫを認識して、赤枠の拡大区画ＺＫを表示するようになされている。
【０１０５】
つづいて、指先移動処理手順ＲＴ１１について、図１４に示したフローチャートを用いて説明する。画像閲覧装置１の制御部１０は、タッチパネルコントローラ１４を介して、タッチパネル３Ｂに押下されているユーザの指先が移動したことを認識すると、指先移動処理手順ＲＴ１１をステップＳＰ４０から開始して、次のステップＳＰ４１に移る。
【０１０６】
ステップＳＰ４１において制御部１０は、ＦｉｒｓｔＰｏｓに格納された中央位置から現在押下位置までの差を区画Ｋ単位で演算し、この演算結果である区画Ｋ単位の移動距離をＤｉｆｆＩｎｄｅｘに格納する。ここで、制御部１０は、第１の実施の形態と同様、図６（Ｂ）に示すように、絶対位置（すなわち画面上の座標など）である初期押下位置ＳＰを基準として移動後の絶対位置である現在押下位置ＰＰ１を認識するのではなく、初期押下位置ＳＰからの相対位置である中央位置ＣＰを基準として移動後の相対位置である現在押下位置ＰＰ２を認識し、この中央位置ＣＰと現在押下位置ＰＰ２との差を区画Ｋ単位で求めるようになされている。これにより、制御部１０は、例えば、ユーザの指先によって実際上区画Ｋの端が押下された場合でも、この区画Ｋの中央を押下したというユーザの認識に合わせた操作感覚を提供することができる。
【０１０７】
このようにして、区画Ｋ単位の移動距離をＤｉｆｆＩｎｄｅｘに格納した後、制御部１０は、次のステップＳＰ４２（図１４）に移る。ステップＳＰ４２において制御部１０は、移動前の区画番号を示すＬａｓｔＩｎｄｅｘとＤｉｆｆＩｎｄｅｘとを加算した結果得られる移動後の区画番号をＣｕｒｒｅｎｔＩｎｄｅｘに格納して、次のステップＳＰ４３に移る。
【０１０８】
ステップＳＰ４３において制御部１０は、ＣｕｒｒｅｎｔＩｎｄｅｘに格納された区画番号に対応する有効区画Ｋが存在するか否かを判定する。ここで否定結果が得られると、このことは、例えば、移動後の区画番号に対応する区画Ｋが有効区画Ｋではないこと、すなわちユーザの指先が、有効区画Ｋ以外の区画Ｋ（すなわち数字が記されていない区画Ｋであり、例えば区画Ｋ６５）に移動されたことを意味しており、このとき制御部１０は、ユーザが区画Ｋの選択を取り止めたと認識して、ステップＳＰ４４に移る。
【０１０９】
ステップＳＰ４４において制御部１０は、図９（Ａ）に示すように、拡大区画ＺＫを非表示にして全ての区画Ｋを元の大きさ、且つ黒枠で表示した後、終了ステップＳＰ４６に移り、指先移動処理手順ＲＴ１１を終了する。
【０１１０】
これに対して、ステップＳＰ４３で肯定結果が得られると、このことは、ユーザの指先が、最初に選択した有効区画Ｋ（例えば区画Ｋ１２）から別の有効区画Ｋ（例えば区画Ｋ２２）に移動されたことを意味しており、このとき制御部１０は、ユーザが区画Ｋの選択を変更したと認識して、ステップＳＰ４５に移る。
【０１１１】
ステップＳＰ４５において制御部１０は、移動前の例えば区画Ｋ１２を拡大した拡大区画ＺＫ１２を非表示にして、その代りにＣｕｒｒｅｎｔＩｎｄｅｘに格納された区画番号で示される移動後の例えば区画Ｋ２２を拡大した赤枠の拡大区画ＺＫ２２を表示した後、終了ステップＳＰ４６に移り、この指先移動処理手順ＲＴ１１を終了する。
【０１１２】
このような指先移動処理手順ＲＴ１１により、制御部１０は、ユーザの指先の移動に応じて、移動前の区画Ｋに対応する赤枠の拡大区画ＺＫを非表示にして、代りに移動後の区画Ｋに対応する赤枠の拡大区画ＺＫを表示するようになされている。
【０１１３】
つづいて、指先離開処理手順ＲＴ１２について、図１５に示したフローチャートを用いて説明する。画像閲覧装置１の制御部１０は、タッチパネルコントローラ１４を介して、タッチパネル３Ｂを押下していたユーザの指先がタッチパネル３Ｂから離されたことを認識すると、指先離開処理手順ＲＴ１２をステップＳＰ５０から開始して、次のステップＳＰ５１に移る。
【０１１４】
ステップＳＰ５１において制御部１０は、指先の離開位置に存在する区画Ｋ、あるいは赤枠の拡大区画ＺＫの区画番号が、既にＬａｓｔＦｏｃｕｓＩｎｄｅｘに格納されているか否かを判定する。ちなみに、このＬａｓｔＦｏｃｕｓＩｎｄｅｘには、区画Ｋの選択操作が行われた後に、指先が離されると、この離開位置に存在する区画Ｋの区画番号が格納されるようになされている。
【０１１５】
ここで否定結果が得られると、このことは、例えば図９（Ｄ）、図１０（Ｄ）に示すように、ユーザが区画Ｋの選択操作をして指先を離したことを意味しており、このとき制御部１０は、ステップＳＰ５２（図１５）に移る。
【０１１６】
ステップＳＰ５２において制御部１０は、離開位置に存在する区画Ｋの区画番号をＬａｓｔＦｏｃｕｓＩｎｄｅｘに格納して、次のステップＳＰ５３に移る。ステップＳＰ５３において制御部１０は、ＬａｓｔＦｏｃｕｓＩｎｄｅｘに格納した区画番号に対応する有効区画Ｋが存在するか否かを判定する。ここで否定結果を得ると、このことは、例えば、指先を離す直前まで押下していた位置に有効区画Ｋが存在していないこと、すなわちユーザの指先が、有効区画Ｋ以外の区画Ｋ（すなわち数字が記されていない区画Ｋであり、例えば区画Ｋ６５）を押下していたことを意味しており、このとき制御部１０は、ユーザが区画Ｋを選択していないと認識して、終了ステップＳＰ５６に移り、指先離開処理手順ＲＴ１２を終了する。
【０１１７】
これに対してステップＳＰ５３で肯定結果が得られると、このことは、ユーザの指先が、有効区画Ｋを押下していたことを意味しており、このとき制御部１０は、ステップＳＰ５４に移る。ステップＳＰ５４において制御部１０は、筐体２に内蔵された図示しないタイマーに所定時間（例えば５秒）を設定すると共に、このタイマーをリセットしてから計時を開始させ、次のステップＳＰ５５に移る。
【０１１８】
ステップＳＰ５５において制御部１０は、このとき表示している拡大区画ＺＫの枠の色を赤から黄に変更して、終了ステップＳＰ５８に移り、この指先離開処理手順ＲＴ１２を終了する。
【０１１９】
これに対して上述のステップＳＰ５１で肯定結果が得られると、このことは、例えば図９（Ｆ）、図１０（Ｆ）に示すように、ユーザが区画Ｋの決定操作をして指先を離したことを意味しており、このとき制御部１０は、ステップＳＰ５６に移る。
【０１２０】
ステップＳＰ５６において制御部１０は、ＬａｓｔＦｏｃｕｓＩｎｄｅｘに格納した区画番号に対応する例えば区画Ｋ２２がユーザにより選択された区画Ｋであると決定すると共に、タイマーの計時を停止して、次のステップＳＰ５７に移る。
【０１２１】
ステップＳＰ５７において制御部１０は、この区画Ｋ２２に対応する日付情報（すなわち２００５年３月８日）が付加された画像データをハードディスクドライブ８から検索し、図９（Ｇ）に示すように、この検索の結果得られた画像データをサムネイル表示する画像閲覧画面２１をタッチパネル付ＬＣＤ３に表示して、終了ステップＳＰ５８に移り、指先離開処理手順ＲＴ１２を終了する。
【０１２２】
このような指先離開処理手順ＲＴ１２により、制御部１０は、ユーザの指先が離されたとき、区画Ｋの選択操作時であれば、黄枠の拡大区画ＺＫを表示し、また区画Ｋの決定操作時であれば、選択された区画Ｋを決定して、この区画Ｋに対応する日付情報を有する画像データを表示するようになされている。
【０１２３】
さらに制御部１０は、この指先離開処理手順ＲＴ１２のステップＳＰ５１で否定結果を得ていた場合、すなわちタイマーによる計時を開始させていた場合、この指先離開処理手順ＲＴ１２終了後に、図１６に示すタイマー処理手順ＲＴ１３を、ステップＳＰ６０から開始して、ステップＳＰ６１に移る。
【０１２４】
ステップＳＰ６１において制御部１０は、タイマーによる計時に基づいて、設定した所定時間経過するまで待ち受ける。そして制御部１０は、設定した所定時間経過すると、次のステップＳＰ６２に移る。ステップＰ６２において制御部１０は、拡大区画ＺＫを非表示にして全ての区画Ｋを元の大きさ、且つ黒枠で表示した後、終了ステップＳＰ６３に移り、タイマー処理手順ＲＴ１３を終了する。
【０１２５】
このようなタイマー処理手順ＲＴ１３により、制御部１０は、拡大区画ＺＫを表示した後、所定時間経過すると、この拡大区画ＺＫを非表示にして、区画Ｋの選択を一旦解除するようになされている。ちなみに、このタイマー処理手順ＲＴ１３は、上述の指先押下処理手順ＲＴ１０、指先移動処理手順ＲＴ１１、及び指先離開処理手順ＲＴ１２とは独立して実行される処理手順である。
【０１２６】
（２−３）第２の実施の形態による動作及び効果
以上の構成において画像閲覧装置１は、まず、４２個の区画Ｋが行列状に配され、このうちの最大３１個の区画Ｋに１ヶ月の各日を示す数字が記されたカレンダー画面２０を液晶パネル３Ａに表示する。
【０１２７】
そして画像閲覧装置１は、数字が記された区画（すなわち有効区画）Ｋのうちの１つである例えば１日を示す区画Ｋ１２の表示領域内に、タッチパネル３Ｂを介してユーザの指先が押下されると、この区画Ｋ１２がユーザにより選択されていると認識して、この区画Ｋ１２を拡大した赤枠の拡大区画ＺＫ１２を、区画Ｋ１２上に重ねて表示する。
【０１２８】
その後、区画Ｋ１２の表示領域内を押下していたユーザの指先が、タッチパネル３Ｂから離されると、画像閲覧装置１は、区画Ｋ１２上に表示している拡大区画ＺＫ１２の枠の色を赤から黄に変えて表示し続ける。これにより画像閲覧装置１は、指先を離したユーザに対して、現在、区画Ｋ１２が選択されている旨を確実に認識させることができる。
【０１２９】
つづいて画像閲覧装置１は、表示中の黄枠の拡大区画ＺＫ１２の表示領域内にタッチパネル３Ｂを介してユーザの指先が押下され、この指先がタッチパネル３Ｂから離されると、この黄枠の拡大区画ＺＫ１２に対応する区画Ｋ１２がユーザにより選択された区画Ｋであると決定する。このように、画像閲覧装置１は、区画Ｋ１２を拡大した拡大区画ＺＫ１２に対する押下操作で区画Ｋ１２を決定することができるので、このときユーザが他の区画Ｋの表示領域内を押下してしまうような誤操作を防止することができる。
【０１３０】
そして、画像閲覧装置１は、この区画Ｋ１２に対応する日付情報が付加された画像データをハードディスクドライブ８から読み出して、液晶パネル３Ａに画像閲覧画面２１として表示する。
【０１３１】
このように画像閲覧装置１は、まず区画Ｋに対する押下操作で、拡大区画ＺＫを表示することにより、どの区画Ｋを選択したのかをユーザに確実に認識させた後、さらにこの拡大区画ＺＫに対する押下操作で、選択した区画Ｋを決定するようにした。これにより、画像閲覧装置１は、ユーザに対して、簡易で、且つ確実な画像閲覧操作を提供することができる。
【０１３２】
一方、画像閲覧装置１は、例えば区画Ｋ１２が選択されて黄枠の拡大区画ＺＫ１２を表示中に、区画Ｋ３２の表示領域内にユーザの指先が押下されると、選択する区画Ｋが区画Ｋ１２から区画Ｋ３２に変更されたと認識して、拡大区画ＺＫ１２に変えて拡大区画ＺＫ３２を表示する。
【０１３３】
このように画像閲覧装置１は、異なる区画Ｋに対する押下操作により、容易に区画Ｋの選択を変更することができる。
【０１３４】
さらに、画像閲覧装置１は、例えば区画Ｋ１２が選択されて黄枠の拡大区画ＺＫ１２を表示した後、押下操作が行われることなく所定時間経過したことを認識すると、黄枠の拡大区画ＺＫ１２の表示を止めて、区画Ｋ１２の選択を解除する。
【０１３５】
このように画像閲覧装置１は、所定時間経過すると一旦区画Ｋの選択を解除するようにしたことにより、この後、再度区画Ｋの選択操作をユーザに行わせることで、容易に区画Ｋの選択を変更することができる。
【０１３６】
さらに、画像閲覧装置１は、例えば区画Ｋ１２の表示領域内を押下しているユーザの指先がタッチパネル３Ｂから離されずに、区画Ｋ２２の表示領域内に移動すると、選択している区画Ｋが区画Ｋ１２から区画Ｋ２２に変更されたと認識して、拡大区画ＺＫ１２に変えて拡大区画ＺＫ２２を表示する。
【０１３７】
このように画像閲覧装置１は、指先を押下したまま移動するという操作だけで、容易に区画Ｋの選択を変更することができる。
【０１３８】
以上の構成によれば、まず液晶パネル３Ａに表示した複数の区画Ｋのうちの１つに対する押下操作で、押下操作された区画Ｋに対応する拡大区画ＺＫを表示することにより、どの区画Ｋを指先で選択したのかをユーザに容易に認識させることができ、さらに表示中の拡大区画ＺＫに対する押下操作で、選択した区画Ｋを決定するようにしたことにより、液晶パネル３Ａに表示する区画Ｋの表示面積に依らず、タッチパネル３Ｂを介した指先での操作入力を一段と容易、且つ確実にすることができ、かくしてタッチパネル３Ｂでの操作性を一段と向上させることができる。
【０１３９】
（３）他の実施の形態
なお上述の第１及び第２の実施の形態においては、区画Ｋの表示領域内にユーザの指先が押下されると、この区画Ｋを拡大した呈示用表示子としての拡大区画ＺＫを、この区画Ｋ上に重ねて表示することにより、この区画Ｋが選択された旨をユーザに通知するようにした場合について述べたが、本発明はこれに限らず、この他種々の通知方法で、ユーザにその旨を通知するようにしてもよい。
【０１４０】
すなわち画像閲覧装置１は、例えば、区画Ｋ１２（１日）の表示領域内にユーザの指先が押下されたことを認識すると、図１７（Ａ）、（Ｂ）に示すように、区画Ｋ１２の表示領域を例えば元の縦横３倍に拡大して枠の色を黒から黄に変えると共に、この区画Ｋ１２と同じ行であり、区画Ｋ１２の横方向に位置する区画Ｋ１１、Ｋ１３、Ｋ１４、Ｋ１５、Ｋ１６、及びＫ１７の表示領域を元の縦３倍に拡大して、さらに区画Ｋ１２と同じ列であり、区画Ｋ１２の縦方向に位置する区画Ｋ２２、Ｋ３２、Ｋ４２、Ｋ５２、Ｋ６２の表示領域を元の横３倍に拡大する。
【０１４１】
このように画像閲覧装置１は、１行目の区画Ｋと、２列目の区画Ｋとを拡大表示することにより、１行目と２列目とが交わる部分となる１行２列目に位置する区画Ｋ１２が選択された旨をユーザに容易に認識させることができる。
【０１４２】
また、画像閲覧装置１は、図１７（Ｃ）に示すように、区画Ｋ１２の表示領域内を押下している指先が、例えば区画Ｋ２２（８日）の表示領域内に移動したことを認識すると、今度は、この区画Ｋ２２の表示領域を元の縦横３倍に拡大して枠の色を黒から黄に変えると共に、この区画Ｋ２２と同じ行であり、区画Ｋ２２の横方向に位置する区画Ｋ２１、Ｋ２３、Ｋ２４、Ｋ２５、Ｋ２６、及びＫ２７の表示領域を元の縦３倍に拡大して、さらに区画Ｋ２２と同じ列であり、区画Ｋ２２の縦方向に位置する区画Ｋ１２、Ｋ３２、Ｋ４２、Ｋ５２、Ｋ６２の表示領域を元の横３倍に拡大する。また、このとき区画Ｋ１１、Ｋ１３、Ｋ１４、Ｋ１５、Ｋ１６、及びＫ１７の表示領域を元の大きさに戻し、区画Ｋ１２の枠の色を黄から黒に戻す。
【０１４３】
このように画像閲覧装置１は、２行目の区画Ｋと、２列目の区画Ｋとを拡大表示することにより、２行目と２列目とが交わる部分となる２行２列目に位置する区画Ｋ２２が選択された旨、すなわち選択している区画Ｋが、区画Ｋ１２から区画Ｋ２２に変更された旨をユーザに容易に認識させることができる。
【０１４４】
また画像閲覧装置１は、この状態から指先が離されると（図１７（Ｄ））、ユーザにより区画Ｋ２２が選択されたと決定して、この区画Ｋ２２に対応する画像データを画像閲覧画面２１として表示する（図１７（Ｅ））。ちなみに、ここでは、指先の移動により区画Ｋの選択を変更した場合について述べたが、これに限らず、上述の第２の実施の形態のように、複数回の押下操作により区画Ｋの選択を変更してもよい。
【０１４５】
さらに別の通知方法として、画像閲覧装置１は、例えば、区画Ｋ１２（１日）の表示領域内にユーザの指先が押下されたことを認識すると、図１８（Ａ）、（Ｂ）に示すように、区画Ｋ１２の表示色を白から黄に変えて枠の色を黒から赤に変えると共に、この区画Ｋ１２と同じ行であり、区画Ｋ１２の横方向に位置する区画Ｋ１１、Ｋ１３、Ｋ１４、Ｋ１５、Ｋ１６、及びＫ１７の表示色を白から黄に変え、さらに区画Ｋ１２と同じ列であり、区画Ｋ１２の縦方向に位置する区画Ｋ２２、Ｋ３２、Ｋ４２、Ｋ５２、Ｋ６２の表示色を白から黄に変える。
【０１４６】
このように画像閲覧装置１は、１行目の区画Ｋと、２列目の区画Ｋとの表示色を変えることにより、１行目と２列目とが交わる部分となる１行２列目に位置する区画Ｋ１２が選択された旨をユーザに容易に認識させることができる。
【０１４７】
また、画像閲覧装置１は、図１８（Ｃ）に示すように、区画Ｋ１２の表示領域内を押下している指先が、例えば区画Ｋ２２（８日）の表示領域内に移動したことを認識すると、今度は、この区画Ｋ２２の表示色を黄にして枠の色を黒から赤に変えると共に、この区画Ｋ２２と同じ行であり、区画Ｋ２２の横方向に位置する区画Ｋ２１、Ｋ２３、Ｋ２４、Ｋ２５、Ｋ２６、及びＫ２７の表示色を白から黄に変えて、さらに区画Ｋ２２と同じ列であり、区画Ｋ２２の縦方向に位置する区画Ｋ１２、Ｋ３２、Ｋ４２、Ｋ５２、Ｋ６２の表示色を黄にする。また、このとき区画Ｋ１１、Ｋ１３、Ｋ１４、Ｋ１５、Ｋ１６、及びＫ１７の表示色を元の白に戻し、区画Ｋ１２の枠の色を赤から黒に戻す。
【０１４８】
このように画像閲覧装置１は、１行目の区画Ｋと、２列目の区画Ｋとの表示色を変えることにより、１行目と２列目とが交わる部分となる１行２列目に位置する区画Ｋ１２が選択された旨、すなわち選択している区画Ｋが、区画Ｋ１２から区画Ｋ２２に変更された旨をユーザに容易に認識させることができる。
【０１４９】
また画像閲覧装置１は、この状態から指先が離されると（図１８（Ｄ））、ユーザにより区画Ｋ２２が選択されたと決定して、この区画Ｋ２２に対応する画像データを画像閲覧画面２１として表示する（図１８（Ｅ））。また、この場合も、指先の移動により区画Ｋの選択を変更するだけでなく、上述の第２の実施の形態のように、複数回の押下操作で区画Ｋの選択を変更してもよい。
【０１５０】
さらに別の通知方法として、画像閲覧装置１は、例えば、区画Ｋ１２（１日）の表示領域内にユーザの指先が押下されたことを認識すると、図１９（Ａ）、（Ｂ）に示すように、区画Ｋ１２の表示色を白から黄に変えて枠の色を黒から赤に変えると共に、この区画Ｋ１２と隣接する区画Ｋ１１、Ｋ１３、Ｋ２１、Ｋ２２、及びＫ２３の表示色を白から黄に変え、さらに区画Ｋ１２の１行上（すなわち０行目）に区画Ｋ０１〜Ｋ０７が存在すると仮定して、区画Ｋ１２と隣接する区画Ｋ０１、Ｋ０２、及びＫ０３の表示色を黄に変える。すなわち、画像閲覧装置１は、区画Ｋ１２の表示色を黄にすると共に、この区画Ｋ１２と隣接する周囲８区画の表示色を黄にする。
【０１５１】
これにより画像閲覧装置１は、表示色を黄にした９個の区画Ｋの中心に位置する区画Ｋ１２が選択された旨をユーザに容易に認識させることができる。
【０１５２】
また、画像閲覧装置１は、図１９（Ｃ）に示すように、区画Ｋ１２の表示領域内を押下している指先が、例えば区画Ｋ２２（８日）の表示領域内に移動したことを認識すると、今度は、この区画Ｋ２２の表示色を黄にして枠の色を黒から赤に変えると共に、この区画Ｋ２２と隣接する周囲８区画Ｋ１１、Ｋ１２、Ｋ１３、Ｋ２１、Ｋ２３、Ｋ３１、Ｋ３２、及びＫ３３の表示色を黄にする。また、このとき区画Ｋ０１、Ｋ０２、及びＫ０３の表示色を元の色に戻し、区画Ｋ１２の枠の色を赤から黒に戻す。
【０１５３】
このように画像閲覧装置１は、区画Ｋ２２の表示色を黄にすると共に、この区画Ｋ２２と隣接する周囲８区画Ｋの表示色を黄にすることにより、表示色を黄にした９個の区画Ｋの中心に位置する区画Ｋ２２が選択された旨、すなわち選択している区画Ｋが、区画Ｋ１２から区画Ｋ２２に変更された旨をユーザに認識させることができる。
【０１５４】
また画像閲覧装置１は、この状態から指先が離されると（図１９（Ｄ））、ユーザにより区画Ｋ２２が選択されたと決定して、この区画Ｋ２２に対応する画像データを画像閲覧画面２１として表示する（図１９（Ｅ））。また、この場合も、指先の移動により区画Ｋの選択を変更するだけでなく、上述の第２の実施の形態のように、複数回の押下操作で区画Ｋの選択を変更してもよい。さらに、ここでは、周囲８区画（縦、横、斜めに隣接）の表示色を変えるようにしたが、例えば周囲４区画（縦と横に隣接）の表示色を変えるようにしてもよい。
【０１５５】
さらに別の通知方法として、画像閲覧装置１は、例えば、区画Ｋ１２（１日）の表示領域内にユーザの指先が押下されたことを認識すると、図２０（Ａ）、（Ｂ）に示すように、区画Ｋ１２の表示領域を指し示す呈示用表示子としての吹き出しＢ１２を、区画Ｋ１２の表示領域の近傍に表示する。この吹き出しＢ１２は、区画Ｋ１２に記された数字「１」と同じ数字「１」が記され、また押下された指先で隠れない程度の近傍に表示される。
【０１５６】
これにより画像閲覧装置１は、この吹き出しＢ１２を介して、区画Ｋ１２が選択された旨をユーザに容易に認識させることができる。
【０１５７】
また、画像閲覧装置１は、図２０（Ｃ）に示すように、区画Ｋ１２の表示領域内を押下している指先が、例えば区画Ｋ２２（８日）の表示領域内に移動したことを認識すると、今度は、この区画Ｋ２２の表示領域の近傍に、区画Ｋ２２の表示領域を指し示すと共に区画Ｋ２２と同じ数字「８」が記された吹き出しＢ２２を表示する。また、このとき吹き出しＢ１２の表示を止める。
【０１５８】
これにより画像閲覧装置１は、この吹き出しＢ２２を介して、区画Ｋ２２が選択された旨、すなわち選択している区画Ｋが、区画Ｋ１２から区画Ｋ２２に変更された旨をユーザに認識させることができる。
【０１５９】
また画像閲覧装置１は、この状態から指先が離されると（図２０（Ｄ））、ユーザにより区画Ｋ２２が選択されたと決定して、この区画Ｋ２２に対応する画像データを画像閲覧画面２１として表示する（図２０（Ｅ））。また、この場合も、指先の移動により区画Ｋの選択を変更するだけでなく、上述の第２の実施の形態のように、複数回の押下操作で区画Ｋの選択を変更してもよい。
【０１６０】
さらに別の通知方法として、画像閲覧装置１は、例えば、音声により区画Ｋが選択された旨をユーザに通知するようにしてもよいし、例えば、カレンダー画面２０の空き表示領域に、現在選択されている区画Ｋ（日付）を示す文字情報を表示することにより、区画Ｋが選択された旨をユーザに通知するようにしてもよい。
【０１６１】
さらに上述の第１及び第２の実施の形態においては、画像データを閲覧するための画像閲覧装置１に本発明を適用した場合について述べたが、本発明はこれに限らず、タッチパネルを操作入力手段とする機器であれば、ＰＤＡ、携帯型ゲーム機器、携帯型電話機器、デジタルスチルカメラ、券売機、リモートコントローラなど、この他種々の機器に適用してもよい。
【０１６２】
さらに上述の第１及び第２の実施の形態においては、タッチパネル３Ｂに対する操作を行う指示物としてユーザの指先を用いた場合について述べたが、本発明はこれに限らず、タッチパネルに対する操作を行い得るものであれば、鉛筆、棒、専用のタッチペンなど、この他種々の指示物を用いてもよい。
【０１６３】
さらに上述の第１及び第２の実施の形態においては、ユーザが選択し得る表示子として、カレンダー画面２０に行列状に配した区画Ｋを用いた場合について述べたが、本発明はこれに限らず、液晶パネル３Ｂに表示して選択し得る表示子であれば、電子番組表、各種アイコン、各種ボタンなどを用いてもよい。
【０１６４】
さらに上述の第１及び第２の実施の形態においては、静電容量方式のタッチパネル３Ｂを用いた場合について述べたが、本発明はこれに限らず、感圧方式のタッチパネルなど、この他種々の方式のタッチパネルを用いてもよい。
【０１６５】
さらに上述の第２の実施の形態においては、区画Ｋの選択を変更する変更操作として、複数回の押下操作により変更する変更操作と、指先の移動により変更する変更操作との２パターンを有している場合について述べたが、本発明はこれに限らず、このうちのどちらか１パターンのみを有していてもよいし、あるいは複数回の押下操作により変更する変更操作モードと、指先の移動により変更する変更操作モードとを切り替え得るようにしてもよい。
【０１６６】
さらに上述の第１及び第２の実施の形態においては、表示部としての液晶パネル３Ａと、タッチパネル３Ｂと、表示制御部兼通知部としての制御部１０と、表示制御部としてのＬＣＤコントローラ１３とにより表示装置としての画像閲覧装置１を構成するようにした場合について述べたが、本発明はこれに限らず、これらと同機能を有するものであれば、この他種々の構成を用いるようにしてもよい。
【０１６７】
さらに上述の第１及び第２の実施の形態においては、画像閲覧装置１にインストールされたプログラムに従って、制御部１０が指先押下処理、指先移動処理、指先離開処理、及びタイマー処理などをソフトウェア的に実行する場合について述べたが、本発明はこれに限らず、これらの処理を実行するための回路を画像閲覧装置１に設け、この回路によりこれらの処理をハードウェア的に実行するようにしても良い。またこれら、指先押下処理、指先移動処理、指先離開処理、及びタイマー処理などを実行するためのプログラムをＣＤなどの記録媒体に記録しておくようにしても良い。
【産業上の利用可能性】
【０１６８】
本発明は、タッチパネルを操作入力手段とする電子機器で広く利用できる。
【符号の説明】
【０１６９】
１……画像閲覧装置、２……筐体、３……タッチパネル付ＬＣＤ、３Ａ……液晶パネル、３Ｂ……タッチパネル、４……電源スイッチ、５……コピースイッチ、６……リセットスイッチ、７……外部接続端子、８……ハードディスクドライブ、１０……制御部、１１……ＲＯＭ、１２……ＲＡＭ、１３……ＬＣＤコントローラ、１４……タッチパネルコントローラ、１５……外部接続コントローラ、１６……ハードディスクコントローラ、１７……パラレルＩ／Ｏ、２０……カレンダー画面、２１……画像閲覧画面、Ｂ……吹き出し、ＣＰ……中央位置（相対位置）、ＰＰ１……現在押下位置（絶対位置）、ＰＰ２……現在押下位置（相対位置）、ＳＰ……初期押下位置（絶対位置）、Ｋ……区画、ＺＫ……拡大区画ＲＴ１、ＲＴ１０……指先押下処理手順、ＲＴ２、ＲＴ１１……指先移動処理手順、ＲＴ３、ＲＴ１２……指先離開処理手順、ＲＴ１３……タイマー処理手順。
【図１】
0005532076.tif 000002
【図２】
0005532076.tif 000003
【図３】
0005532076.tif 000004
【図４】
0005532076.tif 000005
【図５】
0005532076.tif 000006
【図６】
0005532076.tif 000007
【図７】
0005532076.tif 000008
【図８】
0005532076.tif 000009
【図９】
0005532076.tif 000010
【図１０】
0005532076.tif 000011
【図１１】
0005532076.tif 000012
【図１２】
0005532076.tif 000013
【図１３】
0005532076.tif 000014
【図１４】
0005532076.tif 000015
【図１５】
0005532076.tif 000016
【図１６】
0005532076.tif 000017
【図１７】
0005532076.tif 000018
【図１８】
0005532076.tif 000019
【図１９】
0005532076.tif 000020
【図２０】
0005532076.tif 000021